(57)【要約】　　　（修正有）【課題】皮膚管理システムに関するものであり、特に皮膚の状態を測定して皮膚のタイプに合わせて、皮膚を総合的に管理できる皮膚総合管理システム及びそれを利用した皮膚総合管理方法に関する。【解決手段】皮膚測定、遠赤外線マッサージ、オゾンマッサージ、低周波マッサージ、低周波振動マッサージ及び超音波マッサージ機能を一つに統合して制御することにより、皮膚の状態を測定して皮膚タイプ別に細分化し、測定された皮膚タイプによって前記遠赤外線マッサージ、オゾンマッサージ、低周波マッサージ、低周波振動マッサージ、及び超音波マッサージ機能を適切に組合わせて皮膚細胞の活動と、新陳代謝の原理を基に皮膚の構造と役割に合う皮膚運動を通じて皮膚清浄化、皮膚美容、皮膚栄養及び皮膚弾力増進を総合的に行えるようにする皮膚総合管理システム及びそれを利用した皮膚総合管理方法とする。【選択図】　図１
2004000485.tif 000002
【特許請求の範囲】
【請求項１】
皮膚を総合的に管理するためのシステムにおいて、
皮膚測定のための充電パルス及び低周波マッサージのための低周波パルスをそれぞれ出力する低周波ジグ；
遠赤外線を発生する遠赤外線ランプを装着し遠赤外線を放出する遠赤外線ジグ；
低周波振動動作を遂行する振動素子と、入力される電圧によって前記振動素子の駆動時に振動する左右対称型に並列構成され補助スイッチの役割を果たす振動部材で構成される低周波振動ジグ；
光でオゾンを発生させるオゾンランプを装着し、入力される高圧のインパルスを前記オゾンランプに伝達して特定波長の紫外線によりオゾンを発生させる浄化ジグ；
入力電圧によって振動を発生する圧電セラミック部材を具備し超音波振動を発生する超音波ジグ；
皮膚タイプを決定する根拠となる基準抵抗値と皮膚の抵抗値とを求めるために、前記低周波ジグを通じて充電パルスを前記基準抵抗値まで出力する皮膚測定駆動部；
連結端子を通じて前記制御部に連結され、出力側が前記低周波ジグに接続され前記低周波ジグに定格電流を供給する低周波駆動部；
連結端子を通じて前記制御部に連結され、出力側が前記遠赤外線ジグに接続され前記遠赤外線ジグに定格電流を供給する遠赤外線駆動部；
連結端子を通じて前記制御部に連結され、出力側が前記低周波振動ジグに接続され前記低周波振動ジグに定格電流を供給する低周波振動駆動部；
連結端子を通じて前記制御部に連結され、出力側が前記浄化ジグに接続され、定格電源の入力を受け前記浄化ジグにオゾンを発生させるための高圧のインパルスを供給するオゾン駆動部；
外部連結端子を通じて前記制御部に連結され、出力側が前記超音波ジグに接続され前記超音波ジグに定格電流を供給する超音波駆動部；
各種の制御キーが設置され使用者のキー入力信号の入力を受けるキー操作部；
前記キー操作部のキー入力に対応して該当動作を表示する表示部；
皮膚総合管理のためのプログラム及び各種データ等を貯蔵するメモリ；
複数個の入力／出力端子を有するマイクロプロセッサーで構成され、前記キー操作部からのキー入力によって対応される制御動作を遂行し、前記キー入力及び前記キー入力に伴うシステムの状態及び遂行動作を前記表示部に表示し、前記システムを全般的に制御する制御部；及び
交流電源の入力を受けシステムに定格電流を供給し、前記制御部の制御によって各構成部を駆動するための、定格電流を供給する電源により構成されていることを特徴とする皮膚総合管理システム。
【請求項２】
前記キー操作部が、
皮膚測定キー、遠赤外線キー、浄化キー、低周波（−）キー、低周波（±）キー、低周波（＋）キー、低周波振動キー、開始キー、超音波キー、人工知能キー、強度調節キー、時間調節キー、及び一時停止／取消しキーを具備している請求項１に記載の皮膚総合管理システム。
【請求項３】
前記表示部が、
手動／自動／人工知能モード表示部、皮膚タイプ別コース（Ｓ１／Ｓ２／Ｓ３コース）選択表示部、皮膚測定数値表示部、残余時間表示部、弱／中／強の動作強度グラフ表示部、皮膚測定結果グラフ表示部、使用化粧品表示部、待機／遂行モード表示部、超音波マッサージ遂行中表示部、超音波マッサージ部位選択表示部及び使用ジグ表示部を所定の位置に表わす液晶（ＬＣＤ）パネルを含む請求項１に記載の皮膚総合管理システム。
【請求項４】
前記低周波駆動部が、
前記キー操作部のキー入力に対応して、前記制御部の制御によって前記低周波ジグに低周波（−）、低周波（±）及び低周波（＋）（括弧内の符号は出力パルスの極性を表わす）をそれぞれ出力する機能を具備している請求項１に記載の皮膚総合管理システム。
【請求項５】
前記制御部が、前記低周波ジグの基準抵抗値と前記低周波ジグの刺激が皮膚に接触した状態で皮膚の水分含量によって決定される皮膚抵抗値を算出し、これに基づいて皮膚タイプを乾性（弱、中、強）、中性（弱、中、強）、脂性（弱、中、強）の９等級に区分して決定する請求項１に記載の皮膚総合管理システム。
【請求項６】
前記遠赤外線ジグが、皮膚に指圧効果を与えるための指圧突起が形成されているマッサージキャップをさらに具備している請求項１に記載の皮膚総合管理システム。
【請求項７】
前記浄化ジグが、凹凸部位の皮膚のマッサージを容易に行ない得るように特殊な形態を有するオゾンランプをさらに具備している請求項１に記載の皮膚総合管理システム。
【請求項８】
該当機能変更及び終了時に警報音を出力する警報部をさらに具備している請求項１に記載の皮膚総合管理システム。
【請求項９】
該当機能の動作時間をカウントするタイマーをさらに具備している請求項１に記載の皮膚総合管理システム。
【請求項１０】
皮膚総合管理システムを利用して皮膚を総合的に管理する方法において、
洗顔の後、水分を除去し、皮膚測定キーを入力して低周波ジグを用いて皮膚の状態が乾性、中性、脂性の内いずれのタイプのいずれの段階であるかを精密に測定し、各モードの作動時間及び作動強度と機能別コースを設定するためのデータを求める皮膚状態測定段階；
マッサージクリームを顔全体に満遍なく付けた後、遠赤外線キーを入力して前記皮膚タイプによって、作動時間及び作動強度を調節して柔らかく内から外へと円を描くようにマッサージし、選択された作動時間が経過して警報音が発生すると濡れタオルで拭き取り、再びマッサージクリームを顔全体に満遍なく付けた後、浄化キーを押し、前記皮膚タイプによって作動時間及び作動強度を調節して柔らかく内から外へ円を描くようにマッサージし、選択された作動時間が経過して警報音が発生すると濡れたタオルで拭き取り、再びマッサージクリームを顔全体に満遍なく付けた後、低周波（−）キーを入力して皮膚内より低電位のパルスを与え、前記皮膚タイプによって作動時間及び作動強度を調節して肌目に沿って、下から上へ、内から外へとマッサージし、作動時間が終了して警報音が鳴った後、スチームタオルで拭き取る皮膚清浄化段階；
ゲルクリームを顔全体に満遍なく付けた後、低周波（±）キーを入力して皮膚内より低電位のパルスと高電位のパルスを交互に与え、前記皮膚タイプによって作動時間及び作動強度を調節し、肌目に沿って下から上へ、内から外へとマッサージし、作動時間が経過して警報音が鳴った後、濡れタオルで拭き取る皮膚美容段階；
栄養クリームを顔全体に満遍なく付けた後、低周波（＋）キーを入力し皮膚内より高電位のパルスを与え、前記皮膚タイプによって作動時間及び作動強度を調節し、肌目に沿って下から上へ、内から外へとマッサージし、作動時間が終了して警報音が鳴った後、ティッシュペーパで押さえる皮膚栄養供給段階；
ゲルクリームを顔全体に満遍なく付けた後、低周波振動キーを入力し、前記皮膚タイプによって作動時間及び作動強度を調節し、肌目に沿って下から上へ、内から外へとマッサージし、作動時間が終了して警報音が鳴ればぬるま湯に浸したタオルで拭き取る皮膚特別管理段階を含むことを特徴とする皮膚総合管理方法。
【請求項１１】
前記皮膚特別管理段階が、超音波ゲルを顔全体に満遍なく付けた後、超音波キーを入力し、肌目に沿ってマッサージする段階をさらに含む請求項１０に記載の皮膚総合管理方法。
【請求項１２】
前記各段階が、
前記各段階の機能等を遂行するために開始キーを用いずに、望む機能キーを入力すると共に、該当機能が作動する手動選択機能モード；
前記皮膚状態測定段階で皮膚タイプを決定し、前記皮膚タイプによってコースを選択すると、前記選択されたコースによって自動的に定められた順序に従って、各機能等を進行する自動モード；
前記皮膚状態測定段階で測定された皮膚測定結果を基に内臓されたプログラムにより、各機能別動作時間と動作順序を自動的に進行する人工知能モード；の中から使用者のモードキー入力によって選択されたモードで遂行する請求項１０に記載の皮膚総合管理方法。
【請求項１３】
前記手動選択モードが、
外部より皮膚測定キーの入力を感知すると、皮膚測定に用いるジグを表示部のＬＣＤパネルに表示する段階；
使用者が表示されたジグを用いて皮膚測定を試みると、皮膚測定を遂行する前記ジグより皮膚測定データを受信して皮膚測定結果を算出する段階；
前記皮膚測定結果による皮膚タイプ、皮膚測定数値及びグラフを前記表示部のＬＣＤパネルの所定位置に表示する段階；
前記皮膚タイプによって使用者が前記遠赤外線キー、前記浄化キー、前記低周波（−）キー、前記低周波（±）キー、前記低周波（＋）キー、前記低周波振動キー及び前記超音波キーの内任意のキーを入力すると、これを感知し、
入力されたキーに対応する該当機能を遂行することにより手動モードに入る段階；
前記該当機能を遂行し、機能別動作時間、動作強度、使用したジグ及び使用する化粧品を前記表示部のＬＣＤパネルの所定位置に文字及びグラフィックで表示する段階を含む請求項１２に記載の皮膚総合管理方法。
【請求項１４】
前記自動モードが、
外部より皮膚測定キーの入力を感知すると、皮膚測定に用いるジグを表示部のＬＣＤパネルに表示する段階；
使用者が前記表示されたジグを用いて皮膚測定を試みると、皮膚測定を遂行する前記ジグから皮膚測定データを受信して皮膚測定結果を算出する段階；前記皮膚測定結果による皮膚タイプ、皮膚測定数値及びグラフを前記表示部のＬＣＤパネルの所定位置に表示する段階；
使用者の自動キー入力を感知すると、自動モードに進入して前記使用者の自動キーのキー入力回数を感知する段階；
前記自動キーの入力回数に応じて乾性皮膚、中性皮膚、脂性皮膚に合う機能別コースを自動指定する段階；
前記自動指定された機能別コースを順次表示し、使用者に機能別動作時間、動作強度、使用するジグ及び使用する化粧品を前記表示部のＬＣＤパネルの所定の位置に文字及びグラフィックで表示する段階；
前記自動指定された機能別コースにより、遂行段階にある、機能に使用するジグ及び使用する化粧品を点滅して現在待機中の機能を表示する段階；
開始キー入力を感知して該当機能を遂行するように関連構成部を制御する段階を含む請求項１２に記載の皮膚総合管理方法。
【請求項１５】
前記人工知能モードは、
使用者の人工知能キー入力を感知すると、人工知能モードに進入して前記使用者の人工知能キー入力によって人工知能モード表示及び皮膚測定に使用するジグを表示部のＬＣＤパネルに表示する段階；
使用者が前記表示されたジグを用いて皮膚測定を試みると、皮膚測定を遂行する前記ジグから皮膚測定データを受信して皮膚測定結果を算出する段階；
前記皮膚測定結果による皮膚タイプ、皮膚測定数値及びグラフを前記表示部のＬＣＤパネルの所定の位置に表示する段階；
前記決定された皮膚タイプにより機能別コースを自動指定し、前記自動指定された機能別コースを順次に表示し使用者に機能別動作時間、動作強度、使用するジグ及び使用する化粧品を前記表示部のＬＣＤ　パネルの所定位置に文字及びグラフィックで表示する段階；
前記自動指定された機能別コースによって遂行段階にある機能に使用するジグ及び使用する化粧品を点滅して現在待機中の機能を表示する段階；
開始キー入力を感知して該当機能を遂行するように関連構成部を制御する段階を含む請求項１２に記載の皮膚総合管理方法。
【請求項１６】
前記各モードが、
使用者の時間調節キー及び強度調節キーの入力が感知されると、遂行中の機能の動作時間及び動作強度キーを調整する段階；
動作停止／取消キーの入力があれば遂行中の機能を一時停止及び取り消す段階；
開始キーの入力によって一時停止された機能を再開する段階を含む請求項１２に記載の皮膚総合管理方法。
【請求項１７】
超音波ジグの接続の可否を感知し、前記超音波ジグが接続されていると、使用者の超音波キー入力回数によって、マッサージ部位を選択して前記表示部のＬＣＤパネルの所定の位置に表示する段階；
前記超音波キーを１回入力したときには、顔部位をマッサージできるようにマッサージ部位、動作時間及び使用する化粧品を表示して該当する超音波マッサージを遂行し、前記超音波キーを２回入力したときには、身体を超音波マッサージできるようにマッサージ部位、動作時間及び使用する化粧品を表示し、該当する超音波マッサージを遂行する段階を含む請求項１３に記載の皮膚総合管理方法。
【発明の詳細な説明】
【０００１】
【発明の属する技術分野】
本発明は皮膚管理システムに関する。特に皮膚の状態を測定して皮膚タイプに合わせて皮膚を総合的に管理できる皮膚総合管理システム及びそれを利用した皮膚総合管理方法に関するものである。より具体的には皮膚測定、遠赤外線マッサージ、オゾンマッサージ、低周波マッサージ、低周波振動マッサージ及び超音波マッサージ機能を一つに統合して制御することにより、皮膚の状態を測定して皮膚タイプ別に細分化し、測定された皮膚タイプによって前記遠赤外線マッサージ、オゾンマッサージ、低周波マッサージ、低周波振動マッサージ及び超音波マッサージ機能を適切に組合わせて、皮膚細胞の活動と新陳代謝の原理を基に皮膚の構造と役割に合う皮膚運動を通じて皮膚清浄化、皮膚美容、皮膚栄養及び皮膚弾力増進を総合的に行えるようにする皮膚総合管理システム及びそれを利用した皮膚総合管理方法に関するものである。
【０００２】
人類の歴史と共に始まり、人類の尊厳性と共に引き継がれて来た美しさに向けた生命の行進は暫時たりとも中断すること無く、人間本来の最も切実な願いとして持続されてきた。
このような美しさに向けた願いは健康で清潔な皮膚を実現させるための努力から始まる。皮膚は外部のストレス（ｓｔｒｅｓｓ）にも直ぐ影響を受けるので美しい皮膚を保つためには皮膚の状態に常に関心を持ち、随時皮膚をチェックする努力が必要である。
【０００３】
しかしながら、このような努力は皮膚に関する常識がなくてはかえって皮膚を損ねる原因とも成り得る。皮膚は繊細でかつ敏感なため我々の健康状態と歳月の痕跡とを最も速く現すバロメータ（ｂａｒｏｍｅｔｅｒ）でもある。
従って、敏感で繊細な皮膚の状態を随時チェックして、皮膚の状態によって皮膚の管理を行い損傷した皮膚を改善できるように利用者を導き得る皮膚管理機器が必要である。
【０００４】
このことにより、従来には顔の皮膚をマッサージする美容器具として、血行改善機能を提供する遠赤外線ジグ（ｊｉｇ）、美白機能を提供するオゾン（ｏｚｏｎｅ）ジグ、清浄化機能を提供するイオン（ｉｏｎ）ジグ及び皺の予防機能を提供する振動ジグ等が広く知られている。
しかしながら、これらの遠赤外線マッサージやオゾン及びイオンマッサージ等は、それぞれ個別に構成されて動作するので単に皮膚に断片的な刺激のみを与えるという欠点があった。のみならず、一般使用者にも容易に皮膚の状態が分かる精密な皮膚測定手段が具備されていないことから、自分の皮膚タイプを正確に知らずに任意の皮膚管理を行うしかなかった。
【０００５】
しかも、皮膚測定手段と前記遠赤外線マッサージやオゾン及びイオンマッサージ等が総合的に連動できないため、自分の皮膚タイプを知っても自分の皮膚の状態に伴う効率的で総合的な皮膚管理が為されない問題点があった。
【０００６】
【発明が解決しようとする課題】
従って、前記の問題点を解決するための本発明の目的は誰もが容易に自分の皮膚の状態を測定し、測定された自分の皮膚タイプに合わせて多様なモードで適切な皮膚管理方法の提供が受けられる皮膚総合管理システム及びそれを利用した皮膚総合管理方法を提供することにある。
本発明の他の目的は自分の皮膚を管理するために、多様な皮膚管理機能を容易に調節し、適切に組合わせて自分の皮膚タイプに合うように総合的に管理し得る皮膚総合管理システム及びそれを利用した皮膚総合管理方法を提供することにある。
【０００７】
本発明のさらに他の目的は皮膚測定、遠赤外線マッサージ、オゾンマッサージ、低周波マッサージ、低周波振動マッサージ及び超音波マッサージ機能を一つに統合して制御し、皮膚タイプに合う皮膚管理を総合的に行うための多様な美容機器等を、携帯が簡便な一つの複合システムに具現した皮膚総合管理システム及びそれを利用した皮膚総合管理方法を提供することにある。
【０００８】
【課題解決の手段】
前記のような目的を達成するために、本発明は皮膚を総合的に管理するためのシステムにおいて；
皮膚測定のための充電パルス及び低周波マッサージのための低周波パルスをそれぞれ出力する低周波ジグ；
遠赤外線を発生する遠赤外線ランプを装着して遠赤外線を放出する遠赤外線ジグ；
低周波振動動作を行う振動素子と、入力される電圧によって前記振動素子駆動時に振動する、左右対称型に並列構成され補助スイッチの役割を行う振動部材で構成される低周波振動ジグ；
光でオゾンを発生させるオゾンランプを取付け、入力される高圧のインパルスを前記オゾンランプに伝達して特定波長の紫外線からオゾンを発生させる浄化ジグ；
秒当り１００万回の振動を発生する圧電セラミック部材を具備し入力される電圧によって、超音波振動を発生する超音波ジグ；
皮膚タイプを決定し得る根拠となる基準抵抗値と皮膚の抵抗値を求めるために、前記低周波ジグを通じて充電パルスを前記基準抵抗値まで出力する皮膚測定駆動部；
連結端子を通じて前記制御部に連結され、出力側が前記低周波ジグに接続され前記低周波ジグに定格電流を供給する低周波駆動部；
連結端子を通じて前記制御部に連結され、出力側が前記遠赤外線ジグに接続され前記遠赤外線ジグに定格電流を供給する遠赤外線駆動部；
連結端子を通じて前記制御部に連結され、出力側が前記低周波振動ジグに接続され前記低周波振動ジグに定格電流を供給する低周波振動駆動部；
連結端子を通じて前記制御部に連結され、出力側が前記浄化ジグに接続され定格電源の入力を受け前記浄化ジグにオゾンを発生させるための高圧のインパルスを供給するオゾン駆動部；
外部の連結端子を通じて前記制御部に連結され、出力側が前記超音波ジグに接続され前記超音波ジグに定格電流を供給する超音波駆動部；
各種制御キーが設置され使用者のキー入力信号が入力されるキー操作部；
前記キー操作部の入力に対応して該当動作を表示する表示部；
皮膚総合管理のためのプログラム及び各種データを貯蔵するメモリ；
複数個の入／出力端子を有するワンチップマイクロプロセッサーで構成され、前記キー操作部からのキー入力によって対応される制御動作を行い、前記キー入力及び前記キー入力に伴うシステムの状態及び遂行動作を前記表示部に表示して前記システムを全般的に制御する制御部；及び
交流電源の入力を受け、システムに定格直流電流を供給し、前記制御部の制御によって各構成部を駆動するための定格直流電流を供給する電源；とで構成されていることを特徴とする皮膚総合管理システムを提供する。
【０００９】
さらに、本発明は皮膚総合管理システムを利用して皮膚を総合的に管理する方法において；
綺麗に洗顔をして水分を取除いた後、皮膚測定キーを押して低周波ジグを用いて皮膚の状態が乾性、中性、脂性の内いずれのタイプのどの段階であるかを精密に測定して各モードの作動時間及び作動の強度と機能別コースを設定するためのデータを求める皮膚状態の測定段階；
マッサージクリームを顔全体に満遍なくつけた後、遠赤外線キーを押して前記皮膚タイプによって作動時間及び作動の強度を調節して柔らかく内から外へと円を描くようにマッサージし、選択された作動時間が経過して警報音が鳴ったら濡れたタオルで拭き取った後、再びマッサージクリームを顔全体に満遍なくつけた後、浄化キーを押して前記皮膚タイプによって作動時間及び作動の強度を調節して柔らかく内から外へと円を描くようにマッサージし、選択された作動時間が経過して警報音が鳴ったら濡れたタオルで拭き取った後、再びマッサージクリームを顔全体に満遍なくつけた後、低周波（−）キーを押して前記皮膚タイプによって作動時間及び作動強度を調節し、皮膚の肌目に沿って下から上へ、内から外へとマッサージし、作動時間が終了して警報音が鳴ったらスチームタオルで拭き取る皮膚清浄化段階；
ゲルクリームを顔全体に満遍なくつけた後、低周波（±）キーを押して前記皮膚タイプによって作動の強度を調節し、皮膚の肌目に沿って下から上へ内から外へとマッサージし、作動時間が終了して警報音が鳴ったら濡れタオルで拭き取る皮膚美容段階；
栄養クリームを顔全体に満遍なくつけた後、低周波（＋）キーを押して前記皮膚タイプによって作動時間及び作動の強度を調節し、皮膚の肌目に沿って下から上へ、内から外へとマッサージし、作動時間が終了して警報音が鳴ったらティッシュペーパで押さえてやる皮膚栄養供給段階；
ゲルクリームを顔全体に満遍なくつけた後、低周波振動キーを押して前記皮膚タイプによって作動時間及び作動の強度を調節し、皮膚の肌目に沿って下から上へ、内から外へとマッサージし、作動時間が終了して警報音が鳴ったら温湯に浸したタオルで拭き取る皮膚特別管理段階；で成されたことを特徴とする皮膚総合管理方法を提供する。
【００１０】
【発明の実施の形態】
以下、本発明の好ましい実施例を添付した図面を参照して詳細に説明する。
先ず、各図面の構成要素等に付した参照符号は、同一な構成要素等に対しては別の図面上に表示されたとしても、可能な限り同一な符号を付したことに留意すべきである。また、本発明の要旨を不要に損ね得ると判断される公知機能及び構成に対する詳細な説明は省略する。
【００１１】
本発明に伴う皮膚総合管理システムは皮膚を正確に測定し、測定された皮膚タイプに合う皮膚管理を遠赤外線、オゾン、低周波、超音波及び低周波振動等の多様な機能等を通じて総合的に行うことを基本メカニズム（ｍｅｃｈａｎｉｓｍ）とするシステムである。
本発明に伴う皮膚総合管理システムは大きく皮膚清潔（ｄｅｅｐ　ｃｌｅａｎｓｉｎｇ）、皮膚美容（ｔｏｎｉｎｇ　＆　ｆｉｒｍｉｎｇ）、皮膚に対する栄養付与（ｓｕｃｔｉｏｎ　ｎｕｔｒｉｔｉｏｎ）及び皮膚弾力増進の機能を行う。
【００１２】
本発明に伴う皮膚総合管理システムの機能を整理して図１に示した。
図１は本発明に伴う皮膚総合管理システムで具現する機能等を図式化した図面である。
図１に示した通り、前記皮膚清浄化機能は遠赤外線、低周波　（−）、オゾン浄化効果により表皮及び毛孔内の老廃物を溶解、分解及び除去する。これにより前記皮膚清浄化機能は皮膚剥離（ｐｅｅｌｉｎｇ）、細胞剥落（ｅｘｆｏｌｉａｔｉｏｎ）作用及び浄化機能により滑らかで清潔な皮膚を保持する。
【００１３】
前記皮膚美容機能は低周波、運動効果により弾力のある皮膚に改善する。さらに、栄養供給により潤いのある皮膚に改善し弾力のある皮膚に保持する。
前記皮膚栄養機能は皮膚組織の弾性を根本的に強化し、若々しく美しい皮膚を保持してくれる。さらに微細循環機能強化により新陳代謝が促進され潤いのある皮膚を保持してくれる。
【００１４】
前記皮膚弾力増進機能は更に皮膚運動（ｌｉｆｔｉｎｇ）と超音波（ｕｌｔｒａ　ｓｏｎｉｃ）機能に区分される。前記皮膚運動は汚染された環境等により容易に損傷され老化しやすい皮膚に活力を与えて若々しく健康な皮膚に保持してくれる。前記皮膚運動機能は皮膚防禦障壁を貫いて十分な栄養を供給し、皮膚運動効果により弾力を増進する。
さらに、前記超音波機能は秒当たり約１００万回のエネルギー振動により新陳代謝を促進させ皮膚美容と健康に役立つ。
【００１５】
このことにより、本発明に伴う皮膚総合管理システムは遠赤外線、低周波、オゾン、低周波振動及び超音波により、真皮層まで皮膚の深層部まで刺激して新陳代謝の促進、血液循環の促進を通じて皮膚に清潔さと弾力、栄養と保湿を与えて若々しく健康な皮膚を保持する。
【００１６】
前記機能等を具現するための本発明による皮膚総合管理システムの構成を図２乃至図４に詳細に図示した。
図２は本発明の好ましい実施例に伴う皮膚総合管理システムの使用状態図であり、図３は本発明の好ましい実施例による皮膚総合管理システムの各機能部等を図示したブロック構成図であり、図４（ａ）乃至図４（ｅ）は本発明の好ましい実施例による皮膚総合管理システムの多様な機能を遂行するための各種ジグ等を示した図である。
【００１７】
図２に示した通り、本発明に伴う皮膚総合管理システム（１０００）は制御／表示パネル（ｐａｎｅｌ）部（２００）、各種ジグ等及び専用化粧品収納部、各種ジグ等（３００，４００，５００，６００，７００）及び電源（９００）とで構成される。本発明に伴う皮膚総合管理システム（１０００）は前記電源（９００）を通じて直流電圧の印加を受け、制御／表示パネル部の制御により、該当連結端子に連結された各種ジグ等を駆動する。
【００１８】
以下、図３を参照して本発明に伴う他の皮膚総合管理システムの構成部を詳細に説明する。
図３に示した通り、本発明に伴う皮膚総合管理システムはシステムを全般的に制御する制御部（１０）と皮膚測定駆動部（１１０）、低周波駆動部（１２０）、遠赤外線駆動部（１３０）、低周波振動駆動部（１４０）、オゾン駆動部（１５０）及び超音波駆動部（１６０）を通じて前記制御部（１０）にそれぞれ接続された低周波ジグ（４００）、遠赤外線ジグ（３００）、低周波振動ジグ（４００）、浄化ジグ（６００）及び超音波ジグ（７００）と前記制御部（１０）に連結され、該当動作を表示する表示部（３０）と各種制御キーが設置されたキー操作部（２０）と警報音を鳴らす警報部（４０）と動作時間をカウントするタイマー（５０）と皮膚総合管理のためのプログラム及び各種データ等を貯蔵するメモリ（６０）及びシステムに電流を供給する電源（９００）で構成される。
【００１９】
図示した通り、前記低周波ジグ（４００）は前記皮膚測定駆動部（１１０）と前記低周波駆動部（１２０）と共同で連結され、制御部（１０）の制御によって該当機能をそれぞれ遂行する。さらに、低周波駆動部（１２０）は前記キー操作部（２０）のキー入力に対応して前記低周波ジグ（４００）が低周波（−）、低周波（±）、及び低周波（＋）機能をそれぞれ遂行できるように前記制御部（１０）により制御される。
前記各駆動部を具体的に説明すれば、前記制御部（１０）は複数個の入／出力端子を有したワンチップ（ｏｎｅ　ｃｈｉｐ）マイクロプロセッサー（ｍｉｃｒｏ−ｐｒｏｃｅｓｓｏｒ）で構成されている。
【００２０】
前記制御部（１０）は本発明に伴う皮膚総合管理システム（１０００）の本体（１００）に具備される制御／表示パネル部（２００）に形成されている前記キー操作部（２０）からのキー入力によって、対応される制御動作を遂行する。さらに、前記キー入力及びキー入力に伴うシステムの状態及び遂行動作を前記表示部（３０）にディスプレーする。
【００２１】
前記皮膚測定駆動部（１１０）は前記制御部（１０）が基準抵抗値と皮膚抵抗値とを根拠にして、皮膚タイプを決定できるように前記制御部（１０）の制御によって、前記基準抵抗値まで充電される時間を求めるための充電パルスを出力する。
前記制御部（１０）は前記皮膚測定駆動部（１１０）の充電パルスによって、充電電圧をチェックし、設定基準電圧まで充電される時間を求める。さらに、これを根拠に基準抵抗値を算出して前記メモリ（６０）に貯蔵する。引き続き前記制御部（１０）は前記基準抵抗値の算出と同様に、前記低周波ジグ（４００）を通じて前記設定基準電圧になるまでに掛かる時間をチェックして算出する。
【００２２】
前記低周波ジグ（４００）の電極が皮膚に接触した状態では、抵抗値は実質的に皮膚水分含量によって決定される抵抗のみであることから前記方式により皮膚抵抗を測定ができるようになる。前記制御部（１０）は前記基準抵抗値と皮膚の抵抗値を算出してこれを根拠に、乾性（弱、中、強）、中性（弱、中、強）、脂性（弱、中、強）の９等級に皮膚タイプを区分する。
前記低周波駆動部（１２０）は連結端子を通じて前記制御部（１０）に連結され、出力が低周波ジグ（４００）に接続されている。前記低周波駆動部（１２０）は前記制御部（１０）の制御によって、前記低周波ジグ（４００）に定格電流を供給する。前記低周波ジグ（４００）には前記制御部（１０）の制御によって低周波（−）、低周波（±）、低周波（＋）を発生する。
【００２３】
電流は（＋）から（−）極に流れるので、皮膚の中から皮膚の外へ電流が流れるように皮膚に前記低周波（−）パルス電圧を印加すると、皮膚内の老廃物や毒素を皮膚の外へと排出する作用をする。従って、前記低周波（−）機能選択の際、前記低周波ジグ（４００）の電極に（−）信号が印加され、これは表皮層を流れて皮膚の外に電流が流れて老廃物等が皮膚の外に排出される。これとは逆に、前記低周波（＋）機能は前記低周波ジグ（４００）に（＋）信号を印加して栄養クリーム等に含まれたバイオ物質のような有益な皮膚栄養素を皮膚の表面から皮膚の中の真皮まで伝達するようにする。
【００２４】
一方、低周波（±）機能は前記低周波ジグ（４００）で１．５秒間隔で交互的な低周波パルスが出力され、皮膚に作用する信号または交互的に繰り返されることから、この場合栄養素供給や老廃物排出を同時に行えるばかりでなく、弱い電流により刺激無く皮膚マッサージが行えるようになる。
前記遠赤外線駆動部（１１０）は連結端子を通じて前記制御部（１０）に連結され、出力側が遠赤外線ジグ（３００）に接続されている。前記遠赤外線駆動部（１１０）は前記制御部（１０）の制御によって、前記遠赤外線ジグ（３００）に定格電流を供給する。
【００２５】
前記遠赤外線ジグ（３００）による遠赤外線マッサージは３〜５０ミクロン波長内、好ましくは８〜１４ミクロン波長内、さらに好ましくは８〜９ミクロン波長内の遠赤外線を皮膚に放射して皮下組織内４０ｍｍまで浸透させることにより、皮膚内の老廃物除去及び老廃物が生ずるのを防ぐ。
前記遠赤外線ジグ（３００）には遠赤外線を発生する遠赤外線ランプが装着されていて、前記制御部（１０）の制御によって遠赤外線を放出する。
一方、前記遠赤外線ジグ（３００）は皮膚に指圧効果を与えるための指圧突起が形成されているマッサージキャップ（ｃａｐ）をさらに具備して、必要に応じてキャップを容易に取替えて使用することができる。
【００２６】
前記、低周波振動駆動部（１４０）は連結端子を通じて前記制御部（１０）に連結され、出力側が低周波振動ジグ（５００）に接続されている。前記低周波振動駆動部（１４０）は前記制御部（１０）の制御により、前記低周波振動ジグ（５００）に定格電流を供給する。　前記低周波振動ジグ（５００）には前記制御部（１０）の制御により、低周波振動動作を行う振動素子と、前記振動素子駆動時に振動し左右対称型で並列構成され、補助スイッチの役割を行う振動部材で構成される。
【００２７】
前記オゾン駆動部（１５０）は連結端子を通じて前記制御部（１０）に連結され、出力側が浄化ジグ（６００）に接続されている。前記オゾン駆動部（１５０）は前記制御部（１０）の制御により、定格電源からの入力を受け前記浄化ジグ（６００）にオゾンを発生させるための高圧のインパルスを供給する。
前記浄化ジグ（６００）には純粋な光でオゾンを発生させるオゾンランプが装着され、前記オゾン駆動部（１５０）を通じて入力される高圧のインパルスを前記オゾンランプに伝達して特定波長（１８４．９ｎｍ）の紫外線からオゾンが発生するようにする。
【００２８】
従って、前記浄化ジグ（６００）で皮膚をマッサージする時、前記発生したオゾンが皮膚の中に浸透される。前記オゾンランプから発生するオゾンは強力な脱臭効果と共に、皮膚殺菌、皮膚内のビタミンＤ形成及び美白効果がある。
さらに、前記オゾンによる殺菌は紫外線が届かない非照射面にも殺菌作用をするばかりでなく、前記オゾンランプによるオゾン発生は他の構成部にノイズ（Ｎｏｉｓｅ）を発生せず、かつ有害物質をも発生しないので安全である。
一方、前記オゾンランプは凹凸部位の皮膚をマッサージし易いように、特殊な形態のオゾンランプをさらに具備して、必要に応じランプを容易に取替えて使用できる。
【００２９】
前記超音波駆動部（１６０）は外部の連結端子を通じて前記制御部（１０）に連結され、出力側が超音波ジグ（７００）に接続されている。前記超音波駆動部（１６０）は前記制御部（１０）の制御によって前記超音波ジグ（７００）に定格電流を供給する。
前記超音波ジグ（７００）には前記制御部（１０）の制御により、１秒当たり約１００万回の振動を発生する圧電セラミック（ｃｅｒａｍｉｃ）部材を具備する。
前記電源（９００）は本発明に伴う皮膚総合管理システムに直流電流を供給し、前記制御部（１０）の制御によって各構成部を駆動するための定格電流を供給する。
【００３０】
以上の通り、構成された本発明に伴う皮膚総合管理システムの各ジグ等の機能について説明する。
１）低周波ジグ
皮膚管理の基礎は正確な皮膚測定を通じて自分の皮膚タイプを把握して、自分の皮膚に合う管理方法を選択することが重要である。低周波ジグ（４００）は皮膚測定を乾性、中性、脂性の３段階に皮膚を正確に区分して、皮膚タイプ別に科学的な皮膚管理を効率的に行い得るようにした。さらに、皮膚測定結果を各段階別にさらに細分化して精密な機能別コースを遂行できるようにする。
【００３１】
さらに、低周波ジグ（４００）は低周波（−）、低周波（±）、低周波（＋）を通じて皮膚に合う運動をすることにより、皮膚清浄化から皮膚の栄養供給まで皮膚管理に最も基本的なマッサージを効率的に遂行できるようにし、このようなマッサージ運動を通じて皮膚の弾力を増加させ皮膚を柔らかく改善する。
【００３２】
２）遠赤外線ジグ
遠赤外線ジグ（３００）は漢方で言う気のような概念である遠赤外線を利用して皮膚に活力を沸き起し、皮膚の血行を良くして皮膚の深部の老廃物まで排出して皮膚の健康と弾力を保持する。
３）浄化ジグ
浄化ジグ（６００）はオゾンを利用して皮膚に酸素を供給する役割をする。皮膚に酸素を供給することにより皮膚の毛孔の中の殺菌及び浄化効果をもたらし、これにより皮膚に透明感を付与して皮膚を美しく保持する。
【００３３】
４）低周波振動ジグ
低周波振動ジグ（５００）は汚染された環境等による皮膚有害要素等により損傷され易い皮膚に低周波振動（振れ）を通じて活力を与え、皮膚筋肉の運動をすることにより新陳代謝を促進し若々しく健康な皮膚を保持する。
【００３４】
５）超音波ジグ
超音波ジグ（７００）は皮膚に最適なソフト（ｓｏｆｔ）な超音波を毎秒約１００万回の高速エネルギー振動により皮膚の深部まで通過させ、皮膚組織の深部（眞皮層）までマッサージをしてくれる。この微細な超音波マッサージにより顔面のリンパ液が染込み、物質代謝の機能を遂行することによりリンパ循環と血液循環を刺激して皮膚美容と健康とを保持する。
超音波ジグによる皮膚超音波マッサージを顔の皮膚に適用する時、超音波が皮膚を通過する時細胞の間を通り、発生する多くのマイクロ気泡が皮膚の表面及び深い毛孔に至るまで汚れを洗浄する。さらに、超音波が体内に温熱を発生させ０．５〜１℃まで皮膚温度を上昇させ、血管とリンパ管とを刺激して血液循環とリンパ循環を刺激する。のみならず、皮膚の潤いと弾力性を向上させる。
【００３５】
さらに、前記超音波ジグによる超音波皮膚マッサージを身体（ボディー）に適用する時、超音波微細振動が皮膚の深部まで伝達され生体組織の微細な温度上昇により血液循環を円滑にし、新陳代謝が活発になる。
一方、超音波による高振動は１００万回と言う多くの衝撃を短時間の間、超音波の進行方向に継続して衝撃を加えて、振動が伝達されるものであるため、手術の直後や心臓病、高血圧、脳梗塞、皮膚病及び伝染性疾患がある場合、生理中あるいは妊娠中、または熱が高い場合、さらに眼球や歯牙には使用してはならない。
【００３６】
上述の各種ジグの機能に対する理解のために該当ジグの使用に伴う機能と使用方法及び効果を下記の〈表１〉に整理した。
さらに、下記の〈表１〉は本発明に伴う皮膚総合管理システム（１０００）を利用した皮膚総合管理方法の内、手動（選択）モード（ｍａｎｕａｌ　ｍｏｄｅ）により遂行できる機能を順序に従って整理したものであり、前記順序に従ってまたは望む機能を選択して望む時間利用することができる。
【００３７】
本発明に伴う皮膚総合管理システム（１０００）を利用した皮膚総合管理方法は測定された皮膚タイプに対応して機能別コースを遂行する方式によって手動（選択）モード、自動モード（ａｕｔｏ　ｍｏｄｅ）及び人工知能モード（ｆｕｚｚｙ　ｍｏｄｅ）に区分することができる。
前記手動モードは各機能に対して開始キー（２１５）を用いず、望む機能を押すと共に作動するモードにして、〈表１〉に示した順に従い皮膚管理を遂行することが好ましい。
【００３８】
前記自動モードは使用者が自分の皮膚状態を知っている時、乾性、中性、脂性、にきび皮膚、問題性皮膚等によって、例えば、Ｓ１、Ｓ２、Ｓ３の３つのコースの内一つを選べば自動的に定められた順に従ってコースを進めてくれるモードである。
【００３９】
【表１】
2004000485.tif 000003
【００４０】
前記自動モードは低周波ジグ（４００）を用いて皮膚測定をした後、皮膚タイプを指定すれば皮膚タイプに合う機能別コースと、動作時間を自動的に指定してくれる。前記自動モードは皮膚タイプ別管理をよく知らなかったりより簡単に皮膚タイプ別管理方法を知りたい時には簡便に使用できるモードである。
皮膚タイプに該当するコースを選択した後、開始キーを押すとＬＣＤ画面に機能別動作時間が〈表２〉に示した通り、自動設定された後待機状態に入る。
【００４１】
【表２】
2004000485.tif 000004
【００４２】
コースは遠赤外線→浄化→低周波（−）→低周波（±）→低周波（＋）→、の順で進行し、各機能別順序毎に洗顔、使用すべきジグ及び化粧品が自動指定されＬＣＤ画面に表示される。
前記人工知能モードは皮膚測定結果を基に内臓されたプログラムにより、各機能別動作時間と動作順序を自動的に進行してくれるモードである。
前記人工知能モードは皮膚の状態を検査した後、本発明に伴う皮膚総合管理システムのメモリに内臓された人工知能プログラムにより、皮膚状態別に機能別コースと動作時間を自動的に進行するコースである。
【００４３】
前記人工知能モードは前記低周波ジグ（４００）を用いて唇と顎との間に３秒間軽く押さえて皮膚測定を行い、前記皮膚測定が成されると現れた皮膚タイプによって、使用すべきジグと機能別コース進行時間が自動的に指定され進行される。
この際、皮膚状態によって特定コースを省略するか、時間を延長又は短縮することが出来る。〈表３〉に前記人工知能モードにおいて、皮膚測定結果に伴う機能別コース及び機能別動作時間を示した。
【００４４】
【表３】
2004000485.tif 000005
【００４５】
上述の通り、本発明に伴う皮膚総合管理方法を図５乃至図８を参照して詳細に説明する。
図５は本発明の好ましき実施例に伴う皮膚総合管理システムを統合的に制御するための制御／表示パネル部を詳細に示した図であり、図示の通り本発明に伴う皮膚総合管理のための、使用者の各種キー入力に対応する動作を遂行し、これに伴う情報を表示する。
【００４６】
前記図５に示した通り、前記制御／表示パネル（２００）はキー操作部（２０）と表示部（３０）を具備する。前記キー操作部（２０）は皮膚測定キー（２０１）、遠赤外線キー（２０３）、浄化キー（２０５）、低周波（−）キー（２０７）、低周波（±）キー（２０９）、低周波（＋）キー（２１１）、低周波振動キー（２１３）、開始キー（２１５）、超音波キー（２１７）、自動キー（２１９）、人工知能キー（２２１）、強度調節キー（２２３）、時間調整キー（２２５）及び一時停止／取消キー（２２７）を具備する。
【００４７】
更に、前記表示部（３０）はＬＣＤ（ｌｉｑｕｉｄ　ｃｒｙｓｔａｌ　ｄｉｓｐｌａｙ）パネルで具現され、手動／自動／人工知能モード表示部、皮膚タイプに伴うＳ１／Ｓ２／Ｓ３コース選択表示部、皮膚測定数値表示部、残余時間表示部、弱／中／強動作強度グラフ表示部、皮膚測定結果とグラフ表示部、使用化粧品表示部、待機／遂行モード表示部、超音波マッサージ遂行中表示部、超音波マッサージ部位選択表示部及び使用ジグ表示部とで構成される。
【００４８】
前記皮膚測定キー（２０１）は皮膚を測定する場合に選択し、これにより前記表示部（３０）のＬＣＤ画面に使用する低周波ジグ（４００）が表示され、前記低周波ジグ（４００）を通じた皮膚測定の際、皮膚測定数値表示及び皮膚タイプをグラフで表示する。
前記遠赤外線キー（２０３）は遠赤外線機能を使用する場合に選択する。前記遠赤外線キー（２０３）選択時、前記表示部（３０）のＬＣＤ画面に使用する遠赤外線ジグ（３００）が表示され、前記遠赤外線ジグ（３００）を通じた遠赤外線機能の遂行時、機能別動作時間、動作強度及び使用する化粧品を表示する。
【００４９】
前記浄化キー（２０５）、前記低周波（−）キー（２０７）、前記低周波（±）キー（２０９）、前記低周波（＋）キー（２１１）及び前記低周波振動キー（２１３）は浄化機能、低周波（−）機能、低周波（±）機能、低周波（＋）機能及び低周波振動機能を用いる場合にそれぞれ選択する。
【００５０】
更に、該当キー選択の際、入力感知されたキーに該当する機能を遂行し、機能別動作時間、動作強度、使用するジグ及び化粧品を表示する。
前記開始キー（２１５）は自動、人工知能機能を開始する時選択する。
前記超音波キー（２１７）は血液循環増進を通じて、皮膚活力強化の効果を望む場合に超音波機能を開始する時選択する。
前記自動キー（２１９）は皮膚測定後、自分の皮膚タイプを選択して自動的に機能を設定するために選択する。
【００５１】
前記人工知能キー（２２１）は使用者の皮膚測定から皮膚タイプ別にその結果を自動的に認識して適切な条件の機能を自ら設定する時選択する。
前記強度調節キー（２２３）は各機能の強度を弱／中／強それぞれ１段から３段まで調節する。
前記時間調整キー（２２５）は１回入力時、３０秒ずつ該当機能遂行時間を短縮又は延長する。
前記一時停止／取消キー（２２７）は１回押せば一時停止し、２回押せば遂行動作を終了する。
【００５２】
図６乃至図８は本発明の好ましい実施例に伴う皮膚総合管理システムを用いて、手動モード、自動モード及び人工知能モードで皮膚総合管理をそれぞれ遂行する方法を示した制御の流れ図である。
先ず、図６を参照して本発明の好ましい実施例に伴う手動モード遂行方法を説明する。
【００５３】
図６の６０１段階で図３の制御部（１０）は外部から皮膚測定キー（２０１）入力を感知すると、６０３段階に進行して皮膚測定に使用するジグを表示部（３０）のＬＣＤパネルに表示する。これにより、使用者が前記表示されたジグ（皮膚測定の際低周波ジグ）を用いて、皮膚測定を試みると前記制御部（１０）は６０５段階で前記低周波ジグ（４００）　から皮膚測定データを受信して皮膚測定結果を算出する。
【００５４】
さらに、前記制御部（１０）は６０７段階に進行して前記皮膚測定結果に伴う皮膚測定数値及びグラフを前記表示部（３０）のＬＣＤパネルの所定位置に表示する。前記制御部（１０）は前記測定された皮膚タイプによって、使用者が前記遠赤外線キー（２０３）、前記浄化キー（２０５）、前記低周波（−）キー（２０７）、前記低周波（±）キー（２０９）、前記低周波（＋）キー（２１１）、前記低周波振動キー（２１３）、及び前記超音波キー（２１７）、の内、任意のキーを入力すれば、６０９段階でこれを感知し、６１１段階に進行して入力されたキーに対応する該当機能を遂行することにより、手動モードに進入するようになる。
【００５５】
爾後、前記制御部（１０）は開始キー（２１５）の入力無しに、該当キーの入力だけで該当機能を遂行する。機能別動作時間、動作の強度、使用したジグ及び使用する化粧品を前記表示部（３０）のＬＣＤパネルの所定位置に文字及びグラフィックで表示するようにする。機能別に使用するジグ、使用化粧品、使用方法及び効果を〈表１〉に整理した。
【００５６】
この際、前記制御部（１０）は使用者の時間調節キー（２２５）及び強度調節キー（２２３）の入力が感知されると、遂行中の機能の動作時間及び動作強度を調整する。さらに、前記制御部（１０）は動作停止／取消キー（２２７）の入力があれば遂行中の機能を一時停止及び取消し、開始キー（２１５）の入力によって一時停止された機能を再開する。
【００５７】
一方、前記制御部（１０）は前記機能等の内、浄化機能を遂行する時、使用者の時間調節キー（２２５）の入力が感知されたとしても前記浄化機能を過度に使用する場合、皮膚に悪影響を及ぼすのでマッサージ時間が最大２分を越超えないように制御する。
【００５８】
次に、図７を参照して本発明の好ましい実施例に伴う自動モード遂行方法を説明する。
図７の７０１の段階で図３の制御部（１０）は外部から皮膚測定キー（２０１）入力を感知すると、７０３段階に進行して皮膚測定に使用するジグ表示部（３０）のＬＣＤパネルに表示する。これにより、使用者が前記表示されたジグ（皮膚測定の際は低周波ジグ）を用いて皮膚測定を試みれば、前記制御部（１０）は７０５段階で前記低周波ジグ（４００）から皮膚測定データを受信して皮膚測定結果を算出する。
【００５９】
さらに、前記制御部（１０）は７０７の段階に進行して前記皮膚測定結果に伴う皮膚測定数値及びグラフを前記表示部（３０）のＬＣＤパネルの所定位置に表示する。
前記制御部（１０）は７０９の段階において使用者の自動キー（２１９）の入力を感知すれば７１１段階に進行して自動モードに入る。
前記制御部（１０）は７１３の段階で使用者の自動キー（２１９）入力を感知して、キー入力回数によって皮膚タイプに合う機能別コースを自動指定する。キー入力の回数に伴う皮膚タイプと機能別コースは〈表２〉に整理した。例えば、前記自動キー（２１９）１回入力の際、乾性皮膚、２回入力の際、中性皮膚、３回入力の際、脂性皮膚に合う機能別コースが指定される。
【００６０】
引続き、前記制御部（１０）は前記自動指定された機能別コースを順次に表示し、使用者に機能別動作時間、動作強度、使用するジグ及び使用する化粧品を前記表示部（３０）のＬＣＤパネルの所定位置に文字及びグラフィッで表示される。
さらに、前記制御部（１０）は７１７段階で前記自動指定された機能別コースに従って、遂行段階にある機能に使用するジグ及び使用する化粧品を点滅して現在待機中の機能を表示する。
【００６１】
爾後、前記制御部（１０）は７１９段階で開始キー（２１５）入力を感知し、７２１段階に進行して該当機能を遂行するように関連構成部を制御する。
この際、前記制御部（１０）は使用者の時間調節キー（２２５）又は強度調節キー（２２３）の入力が感知されると、遂行中の機能の動作時間又は動作強度を調整する。さらに、前記制御部（１０）は動作停止／取消キー（２２７）の入力があれば遂行中の機能を一時停止及び取消し、開始キー（２１５）の入力によって一時停止された機能を再開する。
【００６２】
最後に、図８を参照して本発明の好ましい実施例に伴う人工知能モード遂行方法を説明する。　図８の８０１段階で図３の制御部（１０）は使用者の人工知能キー（２２１）入力を感知すると８０３段階に進行して人工知能モードに入る。
前記制御部（１０）は使用者の人工知能キー（２２１）の入力によって、８０３段階で人工知能モードを表示して皮膚測定に用いるジグを表示する。
【００６３】
前記制御部（１０）は前記人工知能モードが設定されると、８０５段階に進行して皮膚測定に用いるジグを表示部（３０）のＬＣＤパネルに表示する。これにより、使用者が前記表示されたジグ（皮膚測定の際低周波ジグ）を用いて皮膚測定を試みると、前記低周波ジグ（４００）から皮膚測定データを受信して皮膚測定結果を算出する。
さらに、前記制御部（１０）は８０７段階に進行して前記皮膚測定結果に伴う皮膚測定数値及びグラフを前記表示部（３０）のＬＣＤパネルの所定位置に表示する。
【００６４】
引続き、前記制御部（１０）は８０９段階で前記決定された皮膚タイプによって、機能別コースを自動指定し、８１１段階に進行して前記自動指定された機能別コースを順次表示して使用者に機能別動作時間、動作強度、使用するジグ及び使用する化粧品を前記表示部（３０）のＬＣＤパネルの所定の位置に文字及びグラフィックで表示するようにする。
前記人工知能モードにおいて、皮膚タイプによって自動指定される機能別コース及び各機能別動作時間を〈表３〉に整理した。
【００６５】
前記制御部（１０）は８１３段階で前記自動指定された機能別コースによって遂行段階にある機能に用いるジグ及び使用する化粧品を点滅して現在待機中の機能を表示する。
爾後、前記制御部（１０）は８１５段階で開始キー（２１５）の入力を感知し、８１７段階に進んで該当機能を遂行できるように関連構成部を制御する。
【００６６】
この際、前記制御部（１０）は使用者の時間調節キー（２２５）又は強度調節キー（２２３）の入力が感知されると、遂行中の機能の動作時間又は動作強度を調整する。さらに、前記制御部（１０）は動作停止／取消キー（２２７）の入力があれば、遂行中の機能を一時停止及び取消し、開始キー（２１５）の入力によって一時停止した機能を再開する。
【００６７】
図９は本発明の好ましい実施例に伴う皮膚総合管理システムの超音波マッサージを遂行する方法を示した制御の流れ図にして、図示した通り、図３の制御部（１０）は９０１段階で超音波ジグ（７００）の接続可否を感知する。前記制御部（１０）は超音波ジグ（７００）が接続されていれば、９０３段階で使用者の超音波キー（２１７）の入力回数により、マッサージ部位を選択して前記表示部（３０）のＬＣＤパネルの所定位置に表示する。
【００６８】
引続き、前記制御部（１０）は前記超音波キー（２１７）が１回入力の時、９０５の段階に進行して顔の部位をマッサージできるように、マッサージ部位、動作時間及び使用する化粧品を表示して該当する超音波マッサージを行う。一方、前記制御部（１０）は前記超音波キー（２１７）が２回入力の時、前記９０５の段階で身体（ボディ）部位を超音波マッサージができるように、マッサージ部位、動作時間及び使用する化粧品を表示し、該当する超音波マッサージを遂行する。
【００６９】
この際、前記制御部（１０）は使用者の時間調節キー（２２５）又は強度調節キー（２２３）の入力が感知されると、遂行中の機能の動作時間又は動作強度を調整する。一方、前記超音波マッサージ機能を過度に使用する場合、皮膚に悪影響を及ぼすので前記制御部（１０）は使用者の前記時間調節キー（２２５）及び強度調節キー（２２３）を入力して、時間及び強度を調整しようとする場合にもマッサージ時間が顔は最大５分及び身体（ボディ）は最大１０分を越えて、延長できないように制御し、動作強度もまた既に設定された強度以上に強化されないように制御する。
【００７０】
さらに、前記制御部（１０）は動作停止／取消キー（２２７）の入力があれば、遂行中の機能を一時停止及び取消して、開始キー（２１５）の入力により一時停止した機能を再開する。
【００７１】
このような、本発明に伴う皮膚総合管理システムの手動モード、自動モード及び人工知能モードを通じて行われる皮膚総合管理方法を具現可能な機能別に分けて説明する。
【００７２】
１）皮膚状態測定段階
洗顔の後水分を除去し、皮膚測定キーを押し低周波ジグを用いて、皮膚の状態が乾性、中性、脂性の内いずれのタイプのいずれの段階であるかを精密に測定して各モードの作動時間及び作動強度と機能別コースを設定するためのデータを求める。
【００７３】
２）皮膚清浄化段階
マッサージクリームを顔全体に満遍なく付けた後、遠赤外線キーを押して前記皮膚タイプによって作動時間及び作動強度を調節し、柔らかく内から外へと円を描くようにマッサージする。
選択された作動時間（例えば、４分）が経過して警報音が鳴れば濡れタオルで拭き取り、さらに、再度マッサージクリームを顔全体に満遍なく付けた後、浄化キーを押して前記の皮膚タイプによって作動時間及び作動強度を調節して柔らかく内から外へと円を描くようにマッサージする。
【００７４】
引続き、選択された作動時間（例えば、２分）が経過して警報音が鳴れば、濡れタオルで拭き取り、さらに、再度マッサージクリームを顔全体に満遍なく付けた後、低周波（−）キーを押して、前記皮膚タイプに従って作動時間及び作動強度を調節して肌目に沿って、下から上へ、内から外へとマッサージする。作動時間が終了して警報音が鳴れば、スチームタオルで拭き取る。
【００７５】
３）皮膚美容段階
ゲルクリームを顔全体に満遍なく付けた後、低周波（±）キーを押して、前記皮膚タイプによって作動時間及び作動強度を調節して肌目に沿って、下から上へ、内から外へとマッサージする。作動時間が終了して警報音が鳴れば濡れタオルで拭き取る。
【００７６】
４）皮膚栄養供給段階
引続き、再び栄養クリームを顔全体に満遍なく付けた後、低周波（＋）キーを押して、前記皮膚タイプによって作動時間及び作動強度を調節し、肌目に沿って、下から上へ、内から外へとマッサージする。作動時間が終了して警報音が鳴ればティッシュペーパで押さえてやるか、またはそのまま放置しておいても良い。
【００７７】
５）皮膚特別管理段階
ゲルクリムを顔全体に満遍なく付けた後、低周波振動キーを押して皮膚タイプによって作動時間及び作動強度を調節し、肌目に沿って下から上へ内から外へマッサージする。作動時間が終了して警報音が鳴ればぬるま湯のタオルで拭き取る。
超音波ゲルを顔全体に満遍なく付けた後、超音波キーを押して肌目に沿ってマッサージする。
【００７８】
このような本発明に伴う皮膚総合管理システムを用いて皮膚を管理する前記方法によれば、使用者は自分の皮膚状態測定に伴う皮膚タイプを容易に知ることができ、これに基づいて爾後の皮膚清浄化、皮膚美容、皮膚栄養及び低周波振動と超音波を利用した皮膚総合管理段階における作動時間及び作動強度を適切に調節して、家庭でも簡便に皮膚管理を総合的に行うことができる。上述の通り、本発明による皮膚総合管理システム及びそれを利用した皮膚総合管理方法は、皮膚測定を遂行して皮膚の状態を把握し皮膚タイプに合う総合的な皮膚管理のための、機能別コースを手動及び自動で行えるばかりでなく、皮膚美容に関する非専門家でも皮膚測定で総合的な皮膚管理まで容易に遂行できて、皮膚を総合的に管理するための多様な機能等を一つのワンチップマイクロプロセッサを用いて制御可能な携帯用システムに具現して低廉な価額で何時何処でも専門的な皮膚管理を遂行できるようになる。
【００７９】
一方、本発明の詳細な説明では具体的な実施例を挙げて説明したが、本発明の範囲から逸脱しない限度内で種々の変形が可能であることは勿論である。そこで、本発明の範囲は説明された実施例に限られて定められてはならず、特許請求の範囲ばかりでなく、この特許請求の範囲と均等なもの等により定められるべきである。
【００８０】
【発明の効果】
上述の通り、本発明は皮膚測定に伴う皮膚タイプを精密に把握し、これに対応する適切な皮膚管理方法を総合的に設定することにより、誰もが容易に自分の皮膚状態を正確に把握して、自分の皮膚に合う総合的な皮膚管理を容易に行える長点がある。さらに、本発明は誰もが容易に測定された自分の皮膚タイプに合わせ、多様なモードで望む皮膚管理の機能を調節して適切に組合わせて提供を受ける便利性がある。
【００８１】
のみならず、本発明は皮膚測定、遠赤外線マッサージ、オゾンマッサージ、低周波マッサージ、低周波振動マッサージ及び超音波マッサージ機能等の多様な皮膚管理機能等を一つに統合して制御できる、携帯用複合システムを具現することにより、何時、どこでも自分の皮膚タイプに合う皮膚管理を総合的に遂行できる利点がある。
【図面の簡単な説明】
【図１】図１は本発明に伴う皮膚総合管理システムで具現する機能等を図式化した図面。
【図２】図２は本発明の好ましい実施例に伴う皮膚総合管理システムの使用状態図。
【図３】図３は本発明の好ましい実施例に伴う皮膚総合管理システムの各機能部等を図示したブロック構成図。
【図４】図４は本発明の好ましい実施例による皮膚総合管理システムの各種ジグ（ａ：遠赤外線ジグ、ｂ：低周波ジグ、ｃ：低周波振動ジグ、ｄ：オゾンジグ、ｅ：超音波ジグ）を示した模式的斜視図。
【図５】図５は本発明の好ましい実施例に伴う皮膚総合管理システムの制御／表示パネル部を詳細に示した模式図。
【図６】図６は本発明の好ましい実施例に伴う皮膚総合管理システムを利用して手動モードで皮膚総合管理を行う方法を示した制御流れ図。
【図７】図７は本発明の好ましい実施例に伴う皮膚総合管理システムを利用して自動モードで皮膚総合管理を行う方法を示した制御流れ図。
【図８】図８は本発明の好ましい実施例に伴う皮膚総合管理システムを利用して人工知能モードで皮膚総合管理を行う方法を示した制御流れ図。
【図９】図９は本発明の好ましい実施例に伴う皮膚総合管理システムの超音波マッサージを行う方法を示した制御流れ図。
【符号の説明】
１０：皮膚総合管理システム制御部
２０：キー操作部
３０：表示部
４０：警報部
５０：タイマー
６０：メモリ
１００：皮膚総合管理システム本体
１１０：皮膚測定駆動部　１２０：低周波駆動部
１３０：遠赤外線駆動部
１４０：低周波振動駆動部
１５０：オゾン駆動部
１６０：超音波駆動部
２００：制御／表示パネル部
２０１：皮膚測定キー
２０３：遠赤外線キー
２０６：浄化キー
２０７：低周波（−）キー
２０９：低周波（±）キー
２１１：低周波（＋）キー
２１３：低周波振動キー
２１５：開始キー
２１７：超音波キー
２１９：自動キー
２２１：人工知能キー
２２３：強度調節機
２２５：時間調整キー
２２７：一時停止／取消キー
３００：遠赤外線ジグ
４００：低周波ジグ
５００：低周波振動ジグ
６００：浄化ジグ
７００：超音波ジグ
８００：専用化粧品
９００：電源
１０００：皮膚総合管理システム
【図１】
2004000485.tif 000006
【図２】
2004000485.tif 000007
【図３】
2004000485.tif 000008
【図４】
2004000485.tif 000009
【図５】
2004000485.tif 000010
【図６】
2004000485.tif 000011
【図７】
2004000485.tif 000012
【図８】
2004000485.tif 000013
【図９】
2004000485.tif 000014